(57)【要約】      （修正有）【課題】使用の利便性が向上するとともに、装置の騒音低減効果が向上し、環境に優しくなる機械用騒音低減装置を提供する。【解決手段】筐体１と筐体内部の中央の位置に設置されたモータとを備える機械用騒音低減装置であって、筐体の底部には支持座３が設けられ、筐体の一側面の外壁には筐体扉４が設けられ、筐体扉の上部の外壁には把手５が設けられる。筐体の内部の両側には騒音低減部材が設けられ、筐体の底部の内側には固定レールが設けられる。固定レールの一方側の内部には固定ねじ孔が設けられ、モータの底部には取付部品が設けられる。固定レール及び取付部品を設置することで、使用者によるモータの取付と取り外しが容易になる。【選択図】図１
0003234585.tif 000002
【実用新案登録請求の範囲】
【請求項１】
筐体（１）と筐体（１）内部の中央の位置に設置されたモータ（２）とを備える機械用騒音低減装置であって、
前記筐体（１）の底部には支持座（３）が設けられ、
前記筐体（１）の一側面の外壁には筐体扉（４）が設けられ、
前記筐体扉（４）の上部の外壁には把手（５）が設けられ、
前記筐体（１）の内部の両側には騒音低減部材が設けられ、
前記筐体（１）の底部の内側には固定レール（６）が設けられ、
前記固定レール（６）の一方側の内部には固定ねじ孔（７）が設けられ、
モータ（２）の底部には取付部品が設けられる、
ことを特徴とする機械用騒音低減装置。
【請求項２】
請求項１に記載の機械用騒音低減装置であって、
前記筐体扉（４）の中央の位置には、前記モータ（２）の出力軸に対応する貫通孔（８）が設けられ、
前記モータ（２）の出力軸は前記貫通孔（８）を貫通する、
ことを特徴とする機械用騒音低減装置。
【請求項３】
請求項１に記載の機械用騒音低減装置であって、
前記筐体（１）の外壁の周囲にはスロット（９）が設けられ、
前記筐体扉（４）の筐体（１）に近い側には、前記スロット（９）に対応するブロックが設けられ、
前記筐体扉（４）は、ブロックにより前記筐体（１）の外壁のスロット（９）と係合して連結する、
ことを特徴とする機械用騒音低減装置。
【請求項４】
請求項１に記載の機械用騒音低減装置であって、
前記筐体（１）は、外板（１０）、空隙（１１）及び内板（１２）から構成され、
外側から内側に向かって、前記外板（１０）、前記空隙（１１）、前記内板（１２）の順に設置され、且つ緊密に接続される、
ことを特徴とする機械用騒音低減装置。
【請求項５】
請求項１に記載の機械用騒音低減装置であって、
前記騒音低減部材は、騒音低減板（１３）及び騒音低減パッド（１４）から構成され、
前記騒音低減板（１３）と前記騒音低減パッド（１４）はいずれも前記筐体（１）内部に設けられ、
前記騒音低減板（１３）は、一方側が前記筐体（１）の内壁に連結固定され、前記騒音低減板（１３）の他方側と前記騒音低減パッドの一方側は連結固定され、
前記騒音低減パッド（１４）は、騒音低減板（１３）の筐体（１）の内壁から遠い側に設けられ、
前記騒音低減板（１３）はハニカム板であり、
前記騒音低減パッド（１４）はスポンジ層である、
ことを特徴とする機械用騒音低減装置。
【請求項６】
請求項１に記載の機械用騒音低減装置であって、
前記取付部品は、支持板（１５）、取付ブロック（１６）及び固定ボルト（１７）から構成され、
前記支持板（１５）はモータ（２）の底部に設置され、
前記支持板（１５）の上部は、クッションに連結固定され、
前記クッションの上部は、前記モータ（２）の底部に連結固定され、
前記取付ブロック（１６）の上部は、前記支持板（１５）の底部に連結固定され、
前記取付ブロック（１６）の底部には、固定レール（６）に対応するスライド溝が設けられ、
前記取付ブロック（１６）は、スライド溝を介して前記固定レール（６）に摺動可能に連結し、
前記固定ボルト（１７）は、取付ブロック（１６）の一側面の外壁に設けられ、
前記固定ボルト（１７）の一端は、スライド溝の内壁を貫通し、前記固定レール（６）の一方側の内部の固定ねじ孔（７）に螺合して連結する、
ことを特徴とする機械用騒音低減装置。
【考案の詳細な説明】
【技術分野】
【０００１】
本考案は、騒音低減装置に関する。具体的には、機械用騒音低減装置である。
【背景技術】
【０００２】
機械、即ち、作業の難易度を軽減または省力する工具装置であり、箸、ほうき、ピンセットのようなものは機械と称することができる。これらは簡単な機械である。しかし、複雑な機械は、２種または２種以上の簡単な機械から構成され、通常、これら比較的複雑な機械のことを機器と呼ぶ。構造と動きの観点からは、機構と機器に違いはなく、一般に機械と称する。現代的機械は、一般に、明確な移動システムを備えたすべての機器と機構の総称を指し、例えば、工作機械や自動車、モータ等は、現代的機械の一種とされる。現代的機械の使用工程においては、それ自体の機構により比較的大きな音が発生しやすく、使用中に発生する騒音を低減するために、一般的にモータの外壁に外枠を設置することで、一定の騒音低減を実現している。
【０００３】
しかしながら、従来の機械用騒音低減装置は、機械と接続する際、複数のボルトを用いて機械を外枠に固定しているため、設置が困難になり、また、使用者が後に機械を取り外して修理や点検をすることも難しくなり、装置の使用の利便性が大きく低下していた。
【考案の概要】
【０００４】
本考案の目的は、従来の機械用騒音低減装置における、機械と接続する際、複数のボルトを用いて機械を外枠に固定しているために、設置が困難になるだけでなく、使用者が後に機械を取り外して修理や点検をすることも難しくなり、装置の使用の利便性が大きく低下する、と言う問題を解決する機械用騒音低減装置を提供することである。
【課題を解決するための手段】
【０００５】
上記目的を実現するために、本考案は、筐体と筐体内部の中央の位置に設置されたモータとを備える機械用騒音低減装置を提供する。筐体の底部には支持座が設けられ、筐体の一側面の外壁には筐体扉が設けられ、筐体扉の上部の外壁には把手が設けられる。筐体内部の両側には騒音低減部材が設けられ、筐体底部の内側には固定レールが設けられる。固定レールの一方側の内部には固定用ねじ孔が設けられ、モータの底部には取付部品が設けられる。
【０００６】
好ましくは、筐体扉の中央の位置には、モータの出力軸に対応する貫通孔が設けられ、モータの出力軸は貫通孔を貫通する。貫通孔を設けることで、モータの出力軸の使用が容易になり、装置の使用の利便性が向上する。
【０００７】
好ましくは、筐体の外壁の周囲にはスロットが設けられ、筐体扉の筐体に近い側には、スロットに対応するブロックが設けられ、筐体扉は、ブロックにより筐体の外壁のスロットと係合して連結する。使用の際、使用者は、把手を動かすことでブロックをスロットから分離させて筐体扉を開くことができ、筐体扉を閉じる必要がある場合は、把手を動かすことで筐体扉の一方側のブロックとスロットを係合して連結させて筐体扉を閉じることができる。従って、使用者による筐体扉の開閉が容易になり、装置の使用の利便性が向上する。
【０００８】
好ましくは、筐体は、外板、空隙及び内板から構成され、外側から内側に向かって、外板、空隙、内板の順に設置され、且つ緊密に接続される。空隙を設けたことで、使用の際、筐体内部の騒音の外部環境への伝播が有効に遮断される。従って、装置の騒音低減能力が向上し、装置を使用する際、より環境に優しくなる。
【０００９】
好ましくは、騒音低減部材は、騒音低減板及び騒音低減パッドから構成され、騒音低減板と騒音低減パッドはいずれも筐体内部に設けられ、騒音低減板の一方側は筐体の内壁に連結固定され、騒音低減板の他方側と騒音低減パッドの一方側は連結固定される。騒音低減パッドは、騒音低減板の筐体の内壁から遠い側に設けられる。騒音低減板はハニカム板であり、騒音低減パッドはスポンジ層である。使用の際、モータの使用により発生する騒音は、騒音低減パッドにより減衰吸収された後、騒音低減板を通りさらに減衰吸収される。従って、装置のモータの使用工程中に発生する騒音に対する騒音低減効果がより良くなり、装置の使用効果が向上する。
【００１０】
好ましくは、取付部品は、支持板、取付ブロック及び固定ボルトから構成され、支持板はモータの底部に設置され、支持板の上部はクッションに連結固定される。クッションの上部は、モータの底部に連結固定され、取付ブロックの上部は、支持板の底部に連結固定される。取付ブロックの底部には、固定レールに対応するスライド溝が設けられる。取付ブロックは、スライド溝を介して固定レールに摺動可能に連結し、固定ボルトは、取付ブロックの一側面の外壁に設けられる。固定ボルトの一端は、スライド溝の内壁を貫通し、固定レールの一方側の内部の固定ねじ孔に螺合して連結する。使用の際、使用者は、取付ブロックの底部のスライド溝を固定レールに摺動可能に連結して、モータを完全に筐体内部に入れた後、固定ボルトをねじ込むことで、固定ボルトを固定ねじ孔に螺合し、モータの取付及び固定を行うことができる。モータを取り外す必要がある場合は、固定ボルトをねじって、固定ボルトと固定ねじ孔を分離させた後、モータを移動させて底部の取付ブロックと固定レールを分離し、モータの取り外し作業を行うことができる。従って、使用者によるモータの取付が容易になるとともに、使用者によるモータ２の取り外し修理点検作業も容易になり、装置の使用の利便性が大きく向上する。
【考案の効果】
【００１１】
本考案は、以下の有益な効果を有する。
【００１２】
（１）本考案は、固定レール、取付部品を設けることにより、使用の際、使用者は、取付ブロック底部のスライド溝を固定レールに摺動可能に連結して、モータを完全に筐体内部に入れた後、固定ボルトをねじ込むことで、固定ボルトを固定ねじ孔に螺合し、モータの取付及び固定を行うことができる。モータを取り外す必要がある場合は、固定ボルトをねじって、固定ボルトと固定ねじ孔を分離させた後、モータを移動させて底部の取付ブロックと固定レールを分離し、モータの取り外し作業を行うことができる。従って、使用者によるモータの取付が容易になるとともに、使用者によるモータの取り外し修理点検作業も容易になり、装置の使用の利便性が大きく向上する。
【００１３】
（２）本考案は、騒音低減部品及び空隙を設けることで、モータの使用過程において発生する騒音は、騒音低減パッドにより減衰吸収された後、騒音低減板を通りさらに減衰吸収され、その後、空隙により騒音が遮断される。従って、装置の騒音低減効果が向上し、装置を使用する際に、より環境に優しくなる。
【図面の簡単な説明】
【００１４】
【図１】図１は、本考案の全体構造を示す概略図である。
【図２】図２は、本考案の全体の内部構造を示す概略図である。
【図３】図３は、本考案の筐体の断面図である。
【図４】図４は、本考案の図２のＡ部分の構造の拡大図である。
【考案を実施するための形態】
【００１５】
以下、図面等を参照しながら、本発明の実施形態について説明する。
【００１６】
図１−４に示すように、本考案は、筐体１と筐体１内部の中央の位置に設置されたモータ２とを備える機械用騒音低減装置を提供する。筐体１の底部には支持座３が設けられ、筐体１の一側面の外壁には筐体扉４が設けられ、筐体扉４の上部の外壁には把手５が設けられる。筐体１内部の両側には騒音低減部品が設けられ、筐体１底部の内側には固定レール６が設けられる。固定レール６の一方側内部には固定ねじ孔７が設けられ、モータ２の底部には取付部品が設けられる。
【００１７】
また、筐体扉４の中央の位置には、モータ２の出力軸に対応する貫通孔８が設けられ、モータ２の出力軸は貫通孔８を貫通する。貫通孔８を設けることで、モータ２の出力軸の使用が容易になり、装置の使用の利便性が向上する。
【００１８】
また、筐体１の外壁の周囲にはスロット９が設けられ、筐体扉４の筐体１に近い側には、スロット９に対応するブロックが設けられ、筐体扉４は、ブロックにより筐体１の外壁のスロット９と係合して連結する。使用の際、使用者は、把手５を動かすことでブロックをスロット９から分離させて筐体扉４を開くことができ、筐体扉４を閉じる必要がある場合は、把手５を動かすことで筐体扉４の一側面のブロックとスロット９を係合して連結させて筐体扉４を閉じることができる。従って、使用者による筐体扉４の開閉が容易になり、装置の使用の利便性が向上する。
【００１９】
また、筐体１は、外板１０、空隙１１及び内板１２から構成され、外側から内側に向かって、外板１０、空隙１１、内板１２の順に設置され、且つ緊密に接続される。空隙１１を設けたことで、使用の際、筐体１内部の騒音の外部環境への伝播が有効に遮断される。従って、装置の騒音低減能力が向上し、装置を使用する際、より環境に優しくなる。
【００２０】
また、騒音低減部品は、騒音低減板１３及び騒音低減パッド１４から構成され、騒音低減板１３と騒音低減パッド１４はいずれも筐体１内部に設けられ、騒音低減板１３の一方側は筐体１の内壁に連結固定され、騒音低減板１３の他方側と騒音低減パッド１４の一方側は連結固定される。騒音低減パッド１４は、騒音低減板１３の筐体１の内壁から遠い側に設けられる。また、騒音低減板１３はハニカム板であり、騒音低減パッド１４はスポンジ層である。使用の際、モータ２の使用により発生する騒音は、騒音低減パッド１４により減衰吸収された後、騒音低減板１３を通りさらに減衰吸収される。従って、装置のモータ２の使用工程中に発生する騒音に対する騒音低減効果がより良くなり、装置の使用効果が向上する。
【００２１】
また、取付部品は、支持板１５、取付ブロック１６及び固定ボルト１７から構成され、支持板１５はモータ２の底部に設置され、支持板１５の上部はクッションに連結固定される。クッション上部はモータ２の底部に連結固定され、取付ブロック１６の上部は支持板１５の底部に連結固定される。取付ブロック１６の底部には固定レール６に対応するスライド溝が設けられる。取付ブロック１６はスライド溝を介して固定レール６に摺動可能に連結し、固定ボルト１７は取付ブロック１６の一方側の外壁に設けられる。固定ボルトの一端は、スライド溝の内壁を貫通し、固定レール６の一方側の内部の固定ねじ孔７に螺合する。使用の際、使用者は、取付ブロック１６の底部のスライド溝を固定レール６に摺動可能に連結して、モータ２を完全に筐体１内部に入れた後、固定ボルト１７をねじ込むことで、固定ボルト１７を固定ねじ孔７に螺合し、モータ２の取付及び固定を行うことができる。モータ２を取り外す必要がある場合は、固定ボルト１７をねじって、固定ボルト１７と固定ねじ孔７を分離させた後、モータ２を移動させて底部の取付ブロック１６と固定レール６を分離し、モータ２の取り外し作業を行うことができる。従って、使用者によるモータ２の取付が容易になるとともに、使用者によるモータ２の取り外し修理点検作業も容易になり、装置の使用の利便性が大きく向上する。
【００２２】
作業原理は以下のとおりである。使用の際、使用者は、把手５を引いて筐体扉４を開き、その後、モータ２の底部の取付ブロック１６を、スライド溝を介して固定レール６と摺動可能に連結し、モータ２を完全に筐体１内部に入れた後、固定ボルト１７をねじ込むことで、固定ボルト１７を固定ねじ孔７に螺合し、モータ２の取付及び固定を行うことができる。モータ２を取り外す必要がある場合は、固定ボルト１７をねじって、固定ボルト１７と固定ねじ孔７を分離させた後、モータ２を移動させて底部の取付ブロック１６と固定レール６を分離し、モータ２の取り外し作業を行うことができる。また、モータ２の使用工程において発生する騒音は、騒音低減パッド１４により減衰吸収された後、騒音低減板１３を通りさらに減衰吸収され、その後、空隙１１により騒音が遮断される。従って、装置の騒音低減効果が向上する。
【符号の説明】
【００２３】
１  筐体
２  モータ
３  支持座
４  筐体扉
５  把手
６  固定レール
７  固定ねじ孔
８  貫通孔
９  スロット
１０  外板
１１  空隙
１２  内板
１３  騒音低減板
１４  騒音低減パッド
１５  支持板
１６  取付ブロック
１７  固定ボルト
【図１】
0003234585.tif 000003
【図２】
0003234585.tif 000004
【図３】
0003234585.tif 000005
【図４】
0003234585.tif 000006